(57)【特許請求の範囲】
【請求項１】
患部に装着した導子(3)に、低周波発振器(2)によって発生した低周波電磁波を伝導してなる低周波治療器であって、
水又は湯を溜めておく貯水容器(6)と、
この貯水容器(6)に往道パイプ(8)を介して連通連結した前記導子(3)と、
この導子(3)に復道パイプ(9)を介して連通連結した吸引ポンプ(7)と、
この吸引ポンプ(7)と前記貯水容器(6)とを連通連結した連通パイプ(10)とを有し、
前記導子(3)は、
前記低周波発振器(2)に電気的に接続された電極(16)と、
この電極(16)の真下方位置に設けた吸水性を有する電極パット(17)と、
前記電極(16)を収容する電極収容部(14)と前記電極パット(17)を収容する電極パット収容部(15)を備えたケース(13)とを有し、
前記電極(16)には、前記貯水容器(6)と連通連結する往道側連通路(24)を設けるとともに、前記吸引ポンプ(7)に連通連結する復道側連通路(26)を設け、一方、
前記電極パット(17)には、前記往道側連通路(24)に連通する連通孔(31)と、下面において前記連通孔(31)から放射状に形成した下部連通路(32)と、側面に沿って前記下部連通路(32)の端部から前記復道側連通路(26)に連通する側部連通路(33)とを設けて、
前記貯水容器(6)内の水又は湯水を前記導子(3)内部に循環させながら前記電極パット(17)を常に水を含んだ状態として低周波電磁波を放射させることを特徴とする低周波治療器。
【発明の詳細な説明】
【０００１】
【発明の属する技術分野】
本発明は、低周波治療器に関するものである。
【０００２】
【従来の技術】
従来、低周波治療器としては、実公平6-128 号公報に開示されているように、低周波発振器と、同低周波発振器が発生する低周波電磁波を患部に伝導する導子とから構成し、同導子は、可撓性を有するケースの下部に開口を形成するとともに、ケースの上部に電極を配設し、同電極の直下方位置に吸水性を有する電極パッドを配設し、しかも、導子に吸引ポンプを連通連結したものが知られている。
【０００３】
そして、上記低周波治療器を用いた治療を行う際には、電極パッドに水分を吸収させた状態で患部に導子を装着し、吸引ポンプを作動させることにより、ケース内の空気を排出して、導子を患部に密着するようにしていた。
【０００４】
【発明が解決しようとする課題】
ところが、上記従来の低周波治療器にあっては、吸引ポンプによってケース内の空気を吸引して、導子を患部に密着させていたため、吸引ポンプがケース内の空気とともに、電極パッドに吸収された水分までも吸収してしまい、長時間連続使用すると、電極パッド内の水分が大量に吸収され、通電感が悪化するとともに、導子と患部との密着性が低下し、導子が患部から外れてしまうといった不具合があった。
【０００５】
【課題を解決するための手段】
そこで、本発明では、患部に装着した導子に、低周波発振器によって発生した低周波電磁波を伝導してなる低周波治療器であって、水又は湯を溜めておく貯水容器と、この貯水容器に往道パイプを介して連通連結した導子と、この導子に復道パイプを介して連通連結した吸引ポンプと、この吸引ポンプと貯水容器とを連通連結した連通パイプとを有し、導子は、低周波発振器に電気的に接続された電極と、この電極の真下方位置に設けた吸水性を有する電極パットと、電極を収容する電極収容部と電極パットを収容する電極パット収容部を備えたケースとを有し、電極には、貯水容器と連通連結する往道側連通路を設けるとともに、吸引ポンプに連通連結する復道側連通路を設け、一方、電極パットには、往道側連通路に連通する連通孔と、下面において連通孔から放射状に形成した下部連通路と、側面に沿って下部連通路の端部から復道側連通路に連通する側部連通路とを設けて、貯水容器内の水又は湯水を導子内部に循環させながら電極パットを常に水を含んだ状態として低周波電磁波を放射させることを特徴とする低周波治療器を提供するものである。
【０００９】
【発明の実施の形態】
本発明に係る低周波治療器は、低周波発振器と、同低周波発振器が発生する低周波電磁波を患部に伝導するための導子と、同導子に湯又は水を循環させるための湯水循環器とから構成している。
【００１０】
湯水循環器は、貯水容器と導子とを往道パイプを介して連通連結し、導子と吸引ポンプを復道パイプを介して連通連結し、吸引ポンプと貯水容器とを連通パイプを介して連通連結している。
【００１１】
導子は、下部に開口を有するケースの上部に電極を配設するとともに、同電極の直下方位置に電極パッドを配設している。
【００１２】
電極には、往道側連通路と復道連通路とを形成し、往道側連通路に往道パイプを連通連結する一方、復道側連通路に復道パイプを連通連結している。
【００１３】
電極パッド又はケースには、湯水を循環させるための循環路を形成している。
【００１４】
そして、低周波治療器は、導子の開口を患部に密着させ、低周波発振器によって発生させた低周波電磁波を電極から患部に向けて放射し、低周波電磁波の作用により患部の治療を行うものである。
【００１５】
その際に湯水循環器によって湯水を循環させることにより、電極パッドは、常に水分を含んだ状態となっており、電極と患部との間に常に水分が介在することとなり、水分の作用によって低周波治療器による通電感を向上させることができるものである。
【００１６】
しかも、循環する湯水を適温に保持することにより、患部を適温にすることができ、使用者の使い心地を向上させることができるとともに、湯水による温熱効果が得られ、低周波治療器による治療効果を向上させることができるものである。
【００１７】
さらに、吸引ポンプによって導子のケース内の空気も吸引されることとなり、導子を患部上に載置するだけで導子を患部に容易に装着することができるとともに、導子と患部との密着性を向上させることができるものである。
【００１８】
【実施例】
以下に、本発明の実施例について、添付図面を参照して具体的に説明する。
【００１９】
図１及び図２は、本発明に係る低周波治療器１を示した図であり、低周波治療器１は、低周波発振器２と、同低周波発振器２が発生する低周波電磁波を患部に伝導するための導子３と、同導子３に湯又は水を循環させるための湯水循環器４とから構成している。
【００２０】
低周波発振器２は、患部治療用の低周波電磁波を発生するための装置であり、矩形箱型の本体ケース５の上部に配設している。
【００２１】
湯水循環器４は、本体ケース５の下部に貯水容器６を配設するとともに、同貯水容器６の上方位置に吸引ポンプ７を配設し、貯水容器６と導子３とを往道パイプ８を介して連通連結し、導子３と吸引ポンプ７とを復道パイプ９を介して連通連結し、吸引ポンプ７と貯水容器６とを連通パイプ10を介して連通連結している。
【００２２】
貯水容器６には、ヒータ11を設けており、貯水容器６内部に適温の湯水12を溜めておけるようにしている。
【００２３】
導子３は、図３及び図４に示すように、可撓性を有するケース13の上部に矩形状の電極収容部14を形成し、同電極収容部14の下部に円筒状の電極パッド収容部15を連設しており、電極収容部14に電極16を収容するとともに、電極パッド収容部15に電極パッド17を収容している。
【００２４】
また、導子３は、ケース13の電極パッド収容部15の下部に円形状の開口18を形成し、同開口18の内側縁部に鍔体19を形成しており、電極パッド17が開口18から落下しないように、鍔体19が電極パッド17を保持している。
【００２５】
電極16は、図３及び図４に示すように、矩形箱型の電極本体20の下部に円板状の電極板21を形成し、同電極板21の下面を電極面23とし、同電極面23から患部に向けて低周波電磁波を放射するようにしている。
【００２６】
また、電極16は、電極本体20の前面22右側部から電極板21の電極面23中央部に向けて往道側連通路24を形成する一方、電極本体20の背面25から電極本体20の前面22左側部に向けて復道側連通路26を形成しており、往道側連通路24に往道パイプ８をニップル27を介して連通連結する一方、復道側連通路26に復道パイプ９をニップル28を介して連通連結している。尚、ニップル27,28 は、ケース13に穿設した挿通孔35,35 に挿通され、電極本体20にケース13を挟んで螺着されており、ニップル27,28 によって、ケース13に電極16が保持されるようにしている。
【００２７】
このように、電極16に往道側連通路24と復道側連通路26とを形成しているため、ケース13内に湯水12を円滑に循環させることができる。
【００２８】
往道パイプ８及び復道パイプ９は、可撓性を有するビニール素材からなり、しかも、復道パイプ９の外周面には、金属線29を被覆するとともに同金属線29の外周を絶縁しており、電極16と低周波発振器２とを電気的に接続している（図２参照）。尚、金属線29は、往道パイプ８に設けてもよく、又、往道パイプ８及び復道パイプ９の両方に設けてもよい。
【００２９】
電極パッド17は、図３〜図５に示すように、吸水性を有するスポンジを円柱状に形成し、しかも、湯水12を循環させるための循環路30を形成している。すなわち、電極パッド17は、中央部に、電極16の往道側連通路24に連通する連通孔31を穿設するとともに、下面に連通孔31から放射状に４本の下部連通路32を形成し、各下部連通路32の端部から側面に沿って電極16の復道側連通路26に連通する側部連通路33を形成しており、連通孔31と下部連通路32と側部連通路33とによって循環路30を形成している。尚、電極パッド17は、図６に示すように、下部連通路32の端部に側部連通孔34を穿設したものでもよい。
【００３０】
このように、電極パッド17に循環路30を形成することにより、電極パッド17に湯水12を円滑に循環させることができる。
【００３１】
図７及び図８は、他実施例としての導子３を示した図であり、本実施例においては、中央部に電極16の往道側連通路24に連通する連通孔31を穿設した円柱状の電極パッド38を用い、しかも、ケース36の電極パッド収容部15の内周壁に湯水12を循環させるための連通溝37を上下方向へ向けて刻設している。
【００３２】
このように、ケース36の内部に形成した連通溝37を形成することによっても、電極パッド17に湯水12を円滑に循環させることができる。
【００３３】
低周波治療器１は、上述したように構成しており、使用に際しては、導子３の開口18を患部に密着させ、低周波発振器２によって発生させた低周波電磁波を電極16の電極面23から患部に向けて放射し、低周波電磁波の作用により患部の治療が行われる。
【００３４】
その際に湯水循環器４を作動させて、導子３の内部に湯水12を循環させている。すなわち、湯水循環器４の吸引ポンプ７を作動させると、貯水容器６内の湯水12は、往道パイプ８から導子３の内部に流入し、電極16の往道側連通路24、電極パッド17の循環路30、電極16の復道側連通路26を流れた後、導子３から復道パイプ９へと流出し、再び貯水容器６内に流れ込むようにしている。
【００３５】
このように、湯水循環器４によって湯水12を循環させることにより、電極パッド17は、常に水分を含んだ状態となっており、電極16の電極面23と患部との間に常に水分が介在することとなり、水分の作用によって低周波治療器１による通電感を向上させることができる。
【００３６】
しかも、循環する湯水12を適温に保持することにより、患部を適温にすることができ、使用者の使い心地を向上させることができるとともに、湯水12による温熱効果が得られ、低周波治療器１による治療効果を向上させることができる。
【００３７】
さらに、吸引ポンプ７によって導子３のケース13内の空気も吸引されることとなり、導子３を患部上に載置するだけで導子３を患部に容易に装着することができるとともに、導子３と患部との密着性を向上させることができる。
【００３８】
【発明の効果】
本発明は、以上説明してきたような形態で実施され、以下に記載されるような効果を奏する。
【００３９】
請求項１記載の発明にでは、患部に装着した導子に、低周波発振器によって発生した低周波電磁波を伝導してなる低周波治療器であって、水又は湯を溜めておく貯水容器と、この貯水容器に往道パイプを介して連通連結した導子と、この導子に復道パイプを介して連通連結した吸引ポンプと、この吸引ポンプと貯水容器とを連通連結した連通パイプとを有し、導子は、低周波発振器に電気的に接続された電極と、この電極の真下方位置に設けた吸水性を有する電極パットと、電極を収容する電極収容部と電極パットを収容する電極パット収容部を備えたケースとを有し、電極には、貯水容器と連通連結する往道側連通路を設けるとともに、吸引ポンプに連通連結する復道側連通路を設け、一方、電極パットには、往道側連通路に連通する連通孔と、下面において連通孔から放射状に形成した下部連通路と、側面に沿って下部連通路の端部から復道側連通路に連通する側部連通路とを設けて、貯水容器内の水又は湯水を導子内部に循環させながら電極パットを常に水を含んだ状態として低周波電磁波を放射させる構成としたことにより、湯水循環器によって湯水を循環させることにより、導子が常に水分を含んだ状態となり、導子の電極と患部との間に常に水分が介在することとなり、水分の作用によって低周波治療器による通電感を向上させることができる。
【００４０】
しかも、循環する湯水を適温に保持することにより、患部を適温にすることができ、使用者の使い心地を向上させることができるとともに、湯水による温熱効果が得られ、低周波治療器による治療効果を向上させることができる。
【００４１】
また、吸引ポンプによって導子内に湯水を循環させることができ、前述した低周波治療器よる通電感の向上、治療効果の向上を図ることができるとともに、導子内の空気も吸引されることとなり、導子を患部上に載置するだけで導子を患部に容易に装着することができる、しかも、導子と患部との密着性を向上させることができる。
【図面の簡単な説明】
【図１】本発明に係る低周波治療器を示す斜視図。
【図２】同模式図。
【図３】導子を示す斜視図。
【図４】導子内の湯水の循環を示す断面説明図。
【図５】電極パッドを示す斜視図。
【図６】他の電極パッドを示す斜視図。
【図７】他の電極パッド及びケースを示す斜視図。
【図８】図７のＩ−Ｉ断面図。
【符号の説明】
１  低周波治療器
２  低周波発振器
３  導子
４  湯水循環器
６  貯水容器
７  吸引ポンプ
８  往道パイプ
９  復道パイプ
11  ヒータ
12  湯水
13  ケース
16  電極
17  電極パッド
18  開口
24  往道側連通路
26  復道連通路
30  循環路
【図１】
0004053629.tif 000002
【図２】
0004053629.tif 000003
【図３】
0004053629.tif 000004
【図４】
0004053629.tif 000005
【図５】
0004053629.tif 000006
【図６】
0004053629.tif 000007
【図７】
0004053629.tif 000008
【図８】
0004053629.tif 000009